(57)【要約】【課題】カーテンの取外しが、コードの端部とコードキャッチの接続を解くことなく行え、カーテンの再取付け時にコードの長さ調整作業が不要になるカーテン昇降用コードのリングカンを提供する。【解決手段】カーテン昇降用コードのリングカン６が、たくし上げカーテンに縫着したテープの環状紐に対して係止するフック部１１と、昇降用コードを通すためのコード挿通環１２で形成され、前記コード挿通環１２に昇降用コードの出し入れを可能にするための切れ目１３を設けた。【選択図】図１
2007135903.tif 000002
【特許請求の範囲】
【請求項１】
たくし上げカーテンに縫着したテープの環状紐に対して係止するフック部と、カーテン昇降用コードを通すためのコード挿通環で形成されたカーテン昇降用コードのリングカンにおいて、前記コード挿通環にカーテン昇降用コードの出し入れを可能にするための切れ目を設けたことを特徴とするカーテン昇降用コードのリングカン。
【発明の詳細な説明】
【技術分野】
【０００１】
この発明は、たくし上げカーテンの上下方向に沿って縫着したテープの環状紐に対して係止することにより上下に一定間隔で配置し、カーテン昇降用コードを順次通すことによって、カーテンがジグザグの折畳み状態で引き上げられるようにするカーテン昇降用コードのリングカンに関する。
【背景技術】
【０００２】
たくし上げカーテンは、建物側に固定するシェードレール等に上端部を固定し、このカーテンの幅方向両側等の複数箇所の位置にテープを上下方向に沿って縫着し、各テープに上下一定の間隔で合成樹脂や金属製のリングカンを取付け、各テープごとに、上下に並ぶ前記リングカンにカーテン昇降用コードをそれぞれ通し、各コードは下端に接続したコードキャッチを介してカーテンの下部に連結すると共に、上端側をシェードレール内の昇降機構で誘導し、このレールの端部下方に係止機構を介して引き出し、各コードの端部をイコライザーで束ね、このイコライザーに操作コードを吊下げ、操作コードを引き下げるとカーテンは下部から上昇し、昇降用コードの係止を解くと、カーテンは自重で下部から降りていくようになっている。
【０００３】
従来、上記カーテンに縫着したテープに対するリングカンの取付け方式には、昇降用コードを通す円形のリングに形成したリングカンを用い、これをテープに設けた糸製の環状紐でテープに縫着した非取外し方式と、テープに設けた環状紐に対するフック部にコードを通す円形リング部を設けて形成されたリングカンを用い、フック部を環状紐に係止することによりリングカンをテープに対して取付ける後付け方式がある。
【０００４】
なお、テープの環状紐にリングカンが縫着された非取外し方式の場合、テープをカーテンに縫着するときリングカンが邪魔になり、テープ縫着作業が行いにくいだけでなく、合成樹脂製の場合、ミシンに当ることによってリングカンが破損する場合があり、後付け方式のリングカンではこれを防ぐことができるという利点はある。
【０００５】
上記したたくし上げカーテンを洗濯する場合の方法は、カーテンと昇降用コードを切り離し、カーテンだけをヘッドボックスから取り外して昇降用コードをシェードレールに残し、テープとリングカンが付いた状態でカーテンを洗濯し、洗濯乾燥後にカーテンをシェードレールに取付け、再度カーテンと昇降用コードを結合するものである。
【発明の開示】
【発明が解決しようとする課題】
【０００６】
ところで、カーテンの取外し時において、前者の非取外し方式のリングカンの場合、リングカンから昇降用コードを抜取る必要がある。
【０００７】
また、後者の後付け方式のリングカンの場合、環状紐に対するフック部は、テープの環状紐に係止した状態で簡単に外れることがないような抜け止め構造になっており、環状紐に係止した状態で外そうとすると糸製の環状紐を傷めることになるので、後付けによって取付けたリングカンにおいても、カーテンの洗濯時にテープから取外されることはない。
【０００８】
従って、従来のリングカンは何れの方式の場合でも、カーテンの取外し時に、昇降用コードの下端を接続したコードキャッチをカーテンから取外し、この後、昇降用コードの端部からコードキャッチを取外し、リングカンから昇降用コードを抜取る必要があり、カーテンの取付け時には、これらと逆の作業を行わなければならない。
【０００９】
また、たくし上げカーテンは、降ろしたときに必要な丈になると共に、その昇降時に下部が水平状態で昇降動しないと極めて体裁が悪いため、昇降動を司る各昇降用コードは、最初のカーテン取付け時にその長さを、昇降用コードの端部とコードキャッチの結合部分において正確に調整されている。
【００１０】
しかし、カーテンの取外し時に、上記のような条件下にある各昇降用コードをコードキャッチから取外して接続を解くと、洗濯後のカーテン再取付け時において、昇降用コードの端部とコードキャッチの接続を行う場合に、当初の接続長さを再現するのが困難で誤差が生じやすく、昇降用コードの長さ調整作業に手間と時間がかかると共に、カーテンの下部の水平状態や左右のバランスが崩れるという問題がある。
【００１１】
そこで、この発明の課題は、カーテンの取外しが、昇降用コードの端部とコードキャッチの接続を解くことなく行え、カーテンの再取付け時に昇降用コードの長さ調整作業が不要になるカーテン昇降用コードのリングカンを提供することにある。
【課題を解決するための手段】
【００１２】
上記のような課題を解決するため、この発明は、たくし上げカーテンに縫着したテープの環状紐に対して係止するフック部と、カーテン昇降用コードを通すためのコード挿通環で形成されたカーテン昇降用コードのリングカンにおいて、前記コード挿通環にカーテン昇降用コードの出し入れを可能にするための切れ目を設けた構成を採用したものである。
【００１３】
ここで、上記リングカンのコード挿通環は、平たい円形のリング状に形成され、このリングの周壁における一部に外周から内周に達する円弧状の切れ目を施し、切れ目はカーテン昇降用コードの直径が通過できる程度の幅とし、前記切れ目を挟む対向縁の一方に突起を設け、カーテン昇降用コードに対する抜け止め機能が生じるようにしている。
【００１４】
また、上記フック部は、コード挿通環の外周で切れ目を挟む一端側から連なり、コード挿通環の外周に沿って切れ目と反対側へ弧状に屈曲し、先端側に向けて幅と厚みが漸減するように形成され、このフック部の内周とコード挿通環の外周の対向面間に、テープの環状紐に対する挿入溝が形成され、挿入溝は前記環状紐に嵌まる程度の幅とし、前記挿入溝を挟む対向縁に一対の突起が設けられ、環状紐に対して取り外しを困難にする抜け止め機能が生じるようにしている。
【００１５】
上記リングカンは、合成樹脂を用いてフック部とコード挿通環が一体成形され、カーテンとテープ及びこのリングカンをポリエステルのような同一素材とすると、カーテンのリサイクル時に異質材料の選別が不要になり、一体処理が可能になる。
【発明の効果】
【００１６】
この発明によると、カーテンに縫着したテープの環状紐に対してフック部で係止するカーテン昇降用コードのリングカンにおいて、コード挿通環にカーテン昇降用コードの出し入れを可能にするための切れ目を設けたので、カーテンを洗濯する取外し時において、リングカンのコード挿通環に挿通したコードを、このコード挿通環に設けた切れ目から取外すことができ、従って、カーテンとコードはコードキャッチをカーテンから取外すだけで分離させることができ、コードの下端とコードキャッチの接続部分は接続状態のままでよく、コードの端部とコードキャッチの接続を解く必要がないので、コードは最初のカーテン取付け時に調整された長さのままとなり、カーテンの再取付け後におけるカーテンの丈や左右のバランスの変化がなく、カーテンの再取付け時にコードの長さを調整する作業が不要になる。
【発明を実施するための最良の形態】
【００１７】
以下、この発明の実施の形態を添付図面に基づいて説明する。
【００１８】
図３のように、たくし上げ方式のカーテン１は、建物側に固定するシェードレール２に上端部を取り付けて、建物の壁における開口部分の室内側に吊り下げ状に配置され、このカーテン１の裾には縫製した筒状部３に長い棒状のウエイト４が縫い込まれている。
【００１９】
上記カーテン１の一面側で両端部等の複数箇所には、このカーテン１の引き上げと降ろしを行うための糸紐を用いたカーテン昇降用コード５が配置され、各カーテン昇降用コード５はカーテン１に上下所定の間隔で取付けたリングカン６に挿通され、その上端側がシェードレール２内に設けた昇降機構で誘導し、このレール２の端部下方に係止機構を介して引き出し、各昇降用コード５の端部をイコライザー２１で束ね、各昇降用コード５の下端は、カーテンの下部に係止するコードキャッチ７と接続されている。
【００２０】
上記イコライザー２１に接続した操作コード８を引き下げると、昇降用コード５によってカーテン１は下部から引き上げられ、ジグザグ状に折畳まれながら上昇し、また、昇降用コード５の係止を解くと、カーテン１は自重で下部から降りていくことになる。
【００２１】
上記カーテン１に対するリングカン６の取付けは、図４のように、カーテン１の一面側で複数箇所に、上下方向に長いテープ９を縫着し、このテープ９に糸製の環状紐１０を上下に一定間隔で複数設け、前記各環状紐１０に後付け方式でリングカン６を取付けると共に、各テープ９の部分において、上下のリングカン６に昇降用コード５を順次挿通するようになっている。
【００２２】
上記リングカン６は、合成樹脂を用い、図１のように、カーテン１に縫着したテープ９の環状紐１０に対して係止するフック部１１と、昇降用コード５を通すためのコード挿通環１２で形成されている。
【００２３】
ここで、図１の（ａ）はカーテン昇降用コードのリングカン６の正面図で背面はこれと対称となり、（ｂ）はリングカン６の外形を示す斜視図、（ｃ）はリングカン６の平面図、（ｄ）は同底面図、（ｅ）は同左側面図、（ｆ）は同右側面図であり、更に（ｇ）は（ａ）の矢印ｇ−ｇに沿う縦断側面図、（ｈ）は（ａ）の矢印ｈ−ｈに沿う拡大した縦断側面図、（ｉ）は（ａ）の矢印ｉ−ｉに沿う拡大した縦断側面図を示している。
【００２４】
上記コード挿通環１２は、昇降用コード５が余裕をもって貫通する内径孔１２ａを有する平たい円形のリング状に形成され、このリングの周壁における一部に外周から内周に達する円弧状の切れ目１３を施し、切れ目１３はカーテン昇降用コード５の直径が通過できる程度の幅とし、前記切れ目１３を挟む対向縁の一方に突起１４を設け、昇降用コード５に対する抜け止め機能が生じるようにしている。
【００２５】
また、上記フック部１１は、コード挿通環１２の外周で切れ目１３を挟む一端側から連なり、コード挿通環１２の外周に沿って切れ目１３と反対側へ弧状に屈曲し、先端側に向けて幅と厚みが漸減するように形成され、このフック部１１の内周とコード挿通環１２の外周の対向面間に、テープ９の環状紐１０に対する挿入溝１５が形成され、挿入溝１５は前記環状紐１０の糸径に嵌まる程度の幅とし、前記挿入溝１５を挟む対向縁の途中に一対の突起１６と１７が設けられ、挿入溝１５の内端側に位置させた環状紐１０に対して取り外しを困難にする抜け止め機能が生じるようにしている。
【００２６】
図２はリングカン６の変形例を示し、テープ９の環状紐１０の収まりが安定するように、図２（ａ）のリングカン６は、挿入溝１５の内端を少し大きめ目の円形孔１５ａとし、図２（ｂ）のリングカン６は、挿入溝１５の内端でコード挿通環１２側の位置に弧状の切り欠き部１５ｂを設けたものである。
【００２７】
なお、上記図２で示したリングカン６は、図１で示したリングカン６と同じ大きさであり、その平面、底面、左右の側面等は、図１のリングカン６と同一である。
【００２８】
ここで、上記リングカン６は、合成樹脂を用いてフック部１１とコード挿通環１２が一体成形され、カーテン１とテープ９及びこのリングカン６をポリエステルのような同一素材とすると、カーテン１のリサイクル時に異質材料の選別が不要になり、一体処理が可能になる。
【００２９】
この発明のカーテン昇降用コードのリングカン６は、上記のような構成であり、最初にカーテン１を取付けるには、建物側に固定するシェードレール２等にカーテン１の上端部を固定し、このカーテン１の幅方向両側等の複数箇所の位置に縫着したテープ９の各環状紐１０にリングカン６を後付けによって取付ける。
【００３０】
上記リングカン６の取付けは、テープ９の各環状紐１０にフック部１１を先端から差込み、環状紐１０に対して一対の突起１６と１７間を無理に通過させることにより、挿入溝１５の内端側に位置させた環状紐１０に対して突起１６、１７の抜け止め機能で取り外しが困難な状態になっている。
【００３１】
各テープ９ごとに、上下に並ぶ前記リングカン６のコード挿通環１２に昇降用コード５をそれぞれ上下に通し、各昇降用コード５は下端に接続したコードキャッチ７を介してカーテン１の下部に連結すると共に、上端側をシェードレール２内に設けた昇降機構で誘導し、このレール２の端部下方に係止機構を介して引き出し、各昇降用コード５の端部をイコライザー２１で束ね、イコライザー２１に吊下げた操作コード８の操作で、カーテン１の上げ降ろしを行うことができる。
【００３２】
上記カーテン１を洗濯のために取外す場合は、各リングカン６のコード挿通環１２に挿通した昇降用コード５を、このコード挿通環１２に設けた切れ目１３から外部に取外すようにすればよく、各リングカン６はカーテン１の側に残したままとなり、従って、カーテン１と昇降用コード５はコードキャッチ７をカーテン１から取外すだけで分離させることができ、昇降用コード５の下端とコードキャッチ７の接続部分は接続状態のままでよく、昇降用コード５の端部とコードキャッチ７の接続を解く必要がない。
【００３３】
また、カーテンの再取付け時は、シェードレール２等にカーテンの上端部を固定して吊り下げ、カーテン１の側に残したままとなっている各リングカン６のコード挿通環１２に、切れ目１３の部分から昇降用コード５の途中を差し込めばよく、この後、下端のコードキャッチ７をカーテン１の下部に連結すれば作業が完了し、上記のようにしてコード挿通環１２に通した昇降用コード５は最初のカーテン取付け時に調整された長さのままであるので、再取付け時に昇降用コード５の長さを調整する作業が不要になり、カーテン１の再取付け後における丈や左右のバランスの変化が発生しない。
【図面の簡単な説明】
【００３４】
【図１】（ａ）はカーテン昇降用コードのリングカンの正面図、（ｂ）は同斜視図、（ｃ）は同平面図、（ｄ）は同底面図、（ｅ）は同左側面図、（ｆ）は同右側面図、（ｇ）は（ａ）の矢印ｇ−ｇに沿う縦断側面図、（ｈ）は（ａ）の矢印ｈ−ｈに沿う拡大した縦断側面図、（ｉ）は（ａ）の矢印ｉ−ｉに沿う拡大した縦断側面図
【図２】（ａ）はカーテン昇降用コードのリングカンの他の例を示す正面図、（ｂ）は同じく更に他の例を示す正面図
【図３】カーテン昇降用コードのリングカンを用いたたくし上げカーテンの全体形状を示す正面図
【図４】（ａ）はカーテンのテープに設けた環状紐にリングカンを取付ける状態の斜視図、（ｂ）はこのリングカンにコードを出し入れする場合の状態を示す斜視図
【符号の説明】
【００３５】
１        カーテン
２        シェードレール
３        筒状部
４        ウエイト
５        昇降用コード
６        リングカン
７        コードキャッチ
８        操作コード
９        テープ
１０      環状紐
１１      フック部
１２      コード挿通環
１３      切れ目
１４      突起
１５      挿入溝
１６      突起
１７      突起
【図１】
2007135903.tif 000003
【図２】
2007135903.tif 000004
【図３】
2007135903.tif 000005
【図４】
2007135903.tif 000006